(57)【特許請求の範囲】
【請求項１】
一枚式傘面（２１）、親骨（２２）、中棒（２３）、露先（２４）、尾骨（２５、２６）及びヒンジ部（２８）を含む一枚式傘面用の傘骨構造において、
前記中棒（２３）は一枚式傘面の中心に設けられ、
前記一枚式傘面（２１）が複数の経線、緯線が交錯するよう構成され、この一枚式傘面の対角線、経線或いは緯線方向に基準線が設けられ、
前記傘骨構造は、少なくとも４つの前記親骨（２２）を包含し、前記親骨（２２）は前記中棒（２３）を中心とし基準線に設置されるか、基準線の周囲に対称に配置され、
前記傘骨構造の端は前記一枚式傘面（２１）の外辺縁の前記露先（２４）に接続され、
前記傘骨構造において前記中棒（２３）と前記露先（２４）の間に補助傘骨（２７）が設けられ、該補助傘骨（２７）は基準線を軸線として対称に分布し、
この補助傘骨（２７）はその配置位置が前記親骨（２２）とは異なり、該補助傘骨（２７）は前記一枚式傘面（２１）を支持し、
前記親骨（２２）の尾部から前記ヒンジ部（２８）を介して分岐する２または３以上の前記尾骨（２５、２６）が設けられてなる
ことを特徴とする一枚式傘面用の傘骨構造。
【請求項２】
請求項１記載の一枚式傘面用の傘骨構造において、傘骨が同一長の時、対角線の方向に位置する基準線位置に配置された一枚式傘面の辺縁から中棒の中心までの距離が最短となり、
また一枚式傘面の経線或いは緯線方向位置に配置された一枚式傘面の辺縁から中棒の中心までの距離が最長であることを特徴とする、一枚式傘面用の傘骨構造。
【請求項３】
請求項１記載の一枚式傘面用の傘骨構造において、一枚式傘面の各辺縁から中棒の中心までの距離が同一長の時、対角線方向の基準線に設置された傘骨が最長となり、
また一枚式傘面の経線或いは緯線方向に設置された傘骨が最短であることを特徴とする、一枚式傘面用の傘骨構造。
【請求項４】
請求項１或いは２記載の一枚式傘面用の傘骨構造において、傘骨の長さは一枚式傘面の長さと等しいかそれより長い、
あるいは傘骨と露先から一枚式傘面の辺縁、傘骨と接合部品から一枚式傘面辺縁までの長さが一枚式傘面の長さと同一かそれより長いことを特徴とする、一枚式傘面用の傘骨構造。
【請求項５】
請求項１記載の一枚式傘面用の傘骨構造において、同一長の傘骨と補助傘骨に対しては、対角線方向を離れて、傘面の経線方向或いは経線方向に接近するほど、対応する傘面位置の傘面設置長さは長くなり、反対に、対角線方向に接近し、傘面の経線方向或いは緯線方向より離れるほど、対応する傘面位置の傘面長さは短くなることを特徴とする、一枚式傘面用の傘骨構造。
【発明の詳細な説明】
【技術分野】
【０００１】
本発明は傘骨構造にかかわる一枚式傘面用の傘骨構造に関する発明。
【背景技術】
【０００２】
一般に伝統的な傘面は、傘用に加工された生地を裁断し縫い合わせて製造する。
それは図１に示されるように生地を裁断して三角形生地Ａを作成し、三角形生地Ａの一辺Ｂを内に折った後に縫い合わせて全体の傘面を形成する。
しかし、このような構造の取り付けは比較的複雑であり、手作業での縫製が大量に必要で傘面の加工効率を低下させる。
【０００３】
傘面の構造を簡易化するため、一体化傘面が発明された。
特許文献１に記載された傘面のようなものがあり、それは生地を裁断して構成する。
このような傘面は大幅に傘面の製造を簡易化するが、傘骨で傘面を引き伸ばすことにより立体形の傘を構成する必要がある。
したがって傘骨の強度要求がより高くなる。現在の傘骨構造では一体化傘面の要求を満足させることが難しい。
【先行技術文献】
【特許文献】
【０００４】
【特許文献１】中華人民共和国特許出願第２００７１００７４６５４．９号明細書
【発明の概要】
【発明が解決しようとする課題】
【０００５】
本発明者の研究により明確になったことは、各傘骨の変形、湾曲またはねじれは同一にならないことである。
細かくみると傘面は経線（縦糸）、緯線（横糸）を機器で構成して形成される。これにより傘面には縦横に交錯する経線、緯線が排列される。
経線、緯線は一つの四角形のフレームから構成される。傘骨の張力を受ける過程で傘面の異なる位置に発生する張力はいずれも同じでない。
このため傘骨が一枚式傘面を支持する過程で、各傘骨が傘面を支持して受ける傘面の発生する反作用力はいずれも同じではなく、各傘骨の変形、湾曲またはねじれは同一にならない。
【０００６】
一般の傘骨設置方式に照らし合わせて傘面の異なる角度の張力を考慮しなければ、一枚式傘面の傘の良好な開閉効果を達成することは難しい。
【０００７】
本発明の目的は、一枚式傘面の傘骨構造を提供することにある。この傘骨構造は一枚式傘面を支持するのに十分な強度を有し、且つ良好な傘の開閉効果を達成できる。
【課題を解決するための手段】
【０００８】
本発明の目的を達成するため、本発明の傘骨構造には、傘骨と一枚式傘面を包含する傘骨構造を有する。
この傘骨は中棒を中心とし、一枚式傘面の糸の対角線方向に沿ってまたは経線、緯線方向に沿って基準線とする。
傘骨は少なくとも四つの親骨を有し、且つ各親骨は基準線上に設置されるか、基準線で対称に設置される。
傘骨の外端は一枚式傘面の外辺縁の露先或いは連接部品に接合される。
【０００９】
一枚式傘面の中心（中棒）より傘面の対角線に沿って形成した基準線に沿って設置した傘骨は、傘面の伸縮性が最もよい。
最大限傘面を引っ張って開くことができ、傘開放時に円弧状の頂点を形成できる。
開いた傘の傘形を保持させることができ、傘をたたむ時にはスムーズにたたむことができる。
【００１０】
基準線に対称に設置された傘骨は、傘面の伸縮性は最大ではないが、対称な二つの傘骨に対応する傘面の伸縮性は完全に一致する。
また傘骨の支持力は同一となり、傘面の伸縮性も同一になる。
傘面の経線、緯線方向に設置された傘骨は、それに対応する傘面変形が最小であるが、傘面上の傘骨の分布は基準線に対して対称性を有する。
すなわち対称な傘骨は同じ支持力を有し、傘骨位置の傘面の変形も同一である。
【００１１】
これにより、一枚式傘面が開かれ傘形を形成し、たたまれた後には傘骨及び傘面は完全に収納される。
上述の対称とは、傘骨を基準として、軸対称或いは点対称とし、かつ傘骨の配置位置の対称を指す。
【００１２】
以上に述べた傘骨は、その各辺縁と中棒の中心の距離が等しい長さの時または対角線方向に位置する基準線に配置された傘骨が最長である時、傘面の経線或いは緯線方向に配置された傘骨は最短となり傘骨支持の平衡性を達成する。
【００１３】
傘骨が等しい長さの時で、対角線方向に位置する基準線に配置された傘面の辺縁と中棒の中心距離が最短である時、傘面の経線或いは緯線方向に配置された傘面の辺縁と中棒の中心距離は最長である。
【００１４】
以上に述べた傘骨の端尾に分岐構造を形成し、親骨の尾部が分岐して少なくとも二つの尾骨を形成する。
尾骨は基準線に対して二つが対称で、円弧形状で伸び、傘面辺縁の露先と一つに接続される。
【００１５】
以上に述べた傘骨の長さは傘面の長さ以上であるか、傘骨と露先末端から傘面辺縁、傘骨と接合部品から傘面辺縁の長さが傘面の長さ以上とする。
【００１６】
以上に述べた傘骨構造は、その傘骨の周辺に補助傘骨を設けてもよく、補助傘骨は基準線を軸線として対称に分布する。
補助傘骨は傘骨構造と同じとしても異なるものとしてもよく、一本の独立した直骨を採用するか、傘骨に尾端に枝分かれを採用した構造と類似の構造としてもよい。
【００１７】
さらに、同一長さの傘骨と補助傘骨に対しては、対角線方向から離れて傘面の経線方向或いは経線方向に接近するほど、対応する傘面位置の傘面設置長さは長くなる。
反対に、対角線方向に接近し、傘面の糸の経線方向或いは緯線方向より離れるほど、対応する傘面位置の傘面長さは短くなる。
【００１８】
以上に述べた傘骨は、その中心にヒンジ部が設置され、ヒンジ部は親骨に勘合固定される凸状であり、ヒンジ部を介して親骨は尾部に接合する。
【００１９】
好例として、各傘骨にヒンジ部が配置され、尾骨はヒンジ部を介して親骨に接合される。
或いは、一つのヒンジ部を介して二つの親骨が並行して一つに接続され、其の他の傘骨がヒンジ部に接合され二つの親骨を支持する。
【００２０】
以上に述べたヒンジ部は下向き傾斜角度を備えている。
ヒンジ部は親骨と下向き傾斜角度を形成するように設置され、傘骨の尾部が下向きの状態で傘面を支持し、傘を開く時に傘形を形成しヒンジ部はさらに対風能力を増加する。
【発明の効果】
【００２１】
本発明によると、傘骨は傘面の経線、緯線が構成する基準線に基づき配置され、これにより傘骨は基準線により均一に分布して均衡に傘面を支持する。
本発明の傘を開いた後は良好な傘形を備え、傘を閉じる際にもスムーズに収容でき、一枚式傘面と本発明の傘骨の良好なマッチングを達成する。
【図面の簡単な説明】
【００２２】
【図１】伝統的な製法により構成された傘面の表示図である。
【図２】一枚式傘面の構造表示図である。
【図３】本発明の第１実施方式の一枚式傘面及び傘骨構造の表示図である。
【図４】図３の方式の傘の立体図である。
【図５】本発明の第２実施方式の一枚式傘面及び傘骨構造の表示図である。
【図６】本発明の第３実施方式の一枚式傘面及び傘骨構造の表示図である。
【図７】本発明の第４実施方式の一枚式傘面及び傘骨構造の表示図である。
【図８】本発明の第５実施方式の一枚式傘面及び傘骨構造の表示図である。
【図９】本発明の第６実施方式の一枚式傘面及び傘骨構造の表示図である。
【図１０】本発明の第７実施方式の一枚式傘面及び傘骨構造の表示図である。
【図１１】本発明の第８実施方式の一枚式傘面及び傘骨構造の表示図である。
【図１２】本発明の第９実施方式の一枚式傘面及び傘骨構造の表示図である。
【図１３】本発明の第１０実施方式の一枚式傘面及び傘骨構造の表示図である。
【発明を実施するための形態】
【００２３】
図２を参照されたい。図２は一枚式傘面を構成する糸表示図である。
その詳細構造は当図に示すように、複数の並列配置された緯線ａ及び縦向きに並列配置された経線ｂが交錯した線を使って生地に四角形の格子状の構造を形成させる。
張力により引き起こされる変形は四角形の位置により異なる。対角線ｃ方向の変形は比較的大きく、緯線ａと経線ｂ方向の変形は比較的小さくなる。
これにより、緯線ａ或いは経線ｂを囲む異なる角度の傘骨が一枚式傘面に対して支持を形成する。一枚式傘面は角度位置に対応する変形が異なる。
【００２４】
また、生地の変形は傘骨に反作用する。傘骨の形成する湾曲の弧度と変形も同様である。
したがって一枚式傘面に対しては、傘骨の変形を防止し有効な傘型を形成するため、傘骨に対して規律的な配置が必要である。
【００２５】
図３は本発明の第１実施方式を示す。この一枚式傘面１は四角形で、かつ中棒３を中心とし、一枚式傘面１の対角線ｃが基準線となる。
基準線に沿って、四つの親骨２が配置され、この親骨２の末端に露先４が設置される。
露先４はこの一枚式傘面１に固定され、四つの親骨２は同じ長さに設置され、かつ中棒３の上端の上ろくろに接合する。
【００２６】
これにより図４に示す傘が形成される。
傘を開く時、複数の親骨２が傘面１を開き、円弧形状の傘型を形成する。かつ四角形の傘面を形成し、受骨７、上ろくろ５、下ろくろ６、ハンドル８はいずれも既存の構造を採用できる。
【００２７】
図５に示すのは、本発明の第２実施方式の表示図であり、中棒１３を中心とし、一枚式傘面１１の対角線ｃを基準線とする。
この基準線に添って親骨１２を設置し、各親骨１２の末端はヒンジ部１７をとおり、二つの尾骨１５、１６として分岐させる。
この尾骨１５、１６は同一長で且つ円弧形状を形成して外向きに伸び出し、それぞれ一枚式傘面１１の露先１４に挿入される。
【００２８】
このとき、隣り合う二つの露先１４の形成する角度は４５度であり、正八角形の一枚式傘面を形成できる。
尾骨は対称に分布し、これにより一枚式傘面１１の各部分の受ける力は均一となり傘をスムーズに開くことができる。
【００２９】
さらに一枚式傘面２１に対する支持を強化するために、補助傘骨を増加して支持構造を強化できる。
図６に本発明の第３実施方式を示す。一枚式傘面２１、親骨２２、中棒２３、露先２４、尾骨２５、２６及びヒンジ部２８からなり、それらの構造は図５に示す方式と一致する。
ただし、中棒２３と露先２４の間に、補助傘骨２７が増設される。傘を開いた後この補助傘骨２７が円弧形状を形成しかつそれと対応する露先２４に接続する。
これは各親骨２２の間にあって、一枚式傘面２１の開きを補助し、一枚式傘面２１の支持をよりしっかりしたものとする。
【００３０】
図７を参照されたい。親骨３２はヒンジ部３８を通った後、少なくとも三つの尾骨として分岐し、一枚式傘面３１を支持する。これは本発明の第４実施方式である。
中棒３３を中心とし、一枚式傘面３１の対角線ｃを基準線とし、かつこの基準線に添って親骨３２が設置される。
親骨３２の末端にヒンジ部３８が配置され、ヒンジ部３８をとおった後、外向きに三つの尾骨３５、３６、３７が伸び出る。
尾骨３５、３６、３７の外端はそれぞれ露先３４中に挿入され、尾骨３５、３６、３７は同じ長さに配置する。
【００３１】
そのうち、尾骨３６は親骨３２と同様に、基準線上に位置し尾骨３５と尾骨３７は外向きに開き、円弧形状を形成して伸び出し、尾骨３５、３６、３７と親骨３２が同時に一枚式傘面３１に対する支持を形成する。
【００３２】
上述のいくつかの実施方式中、親骨は通常基準線上に配置されるが、これは全ての実施方式において親骨が基準線上に配置されることを代表するわけではなく、他の実施方式においては、親骨は基準線を囲むように配置可能で、親骨は基準線を軸線或いは中心線として対称に配置され得る。
これにより親骨が受ける力が均等化し、一枚式傘面を傘型に保持する。また傘をたたんだ後に親骨が変形せずスムーズに傘をたためる。
【００３３】
図８は本発明の第５実施方式である。これは、親骨４２が図５の方式とは異なって配置され、中棒４３を中心とする対角線ｃを軸線とし、対角線ｃの両側に対称に設置する。
また、親骨４２とその近隣の対角線ｃに挟まれた角度は１５度となる（また、１５度より大きいか或いは小さくすることもできる）。
このような親骨４２を対角線ｃに対して対称に設ける方式は、十分安定ししっかりと一枚式傘面４１を支持できる。かつ傘を開くときに美しい傘型を形成できる。
【００３４】
実施方式中のヒンジ部４７の実施方式は図５と同じであり、親骨４２の末端にヒンジ部４７が設けられ、ヒンジ部４７をとおり二つの尾骨４５、４６に分岐する。
露先４４もまたこの一枚式傘面４１に固定され、尾骨４５、４６は露先４４中に挿入される。
【００３５】
このとき、一つの親骨４２に接続された二つの尾骨４５、４６が形成する円弧角度はあまり大きくなく、尾骨４５、４６で形成する角度は一般に１５度程度である。
なお尾骨４５、４６は等間隔に配置される。
【００３６】
図９を参照されたい。これは本発明の第６実施方式である。第１親骨５２、第２親骨５５が対角線ｃと緯線ａ、経線ｂを基準線として配置され、上ろくろを介して中棒５３に接続される。
中棒５３を中心として対角線ｃに配置された第１親骨５２の外端には、第１ヒンジ部５６を設ける。
この第１ヒンジ部５６をとおり、円弧形状に分布する第１尾骨５２１、５２２を分岐させる。第１尾骨５２１、５２２は同一長である。
【００３７】
中棒５３を中心として緯線ａ或いは経線ｂを基準線として配置された第２親骨５５の外端には第２ヒンジ部５７が設けられ、この第２ヒンジ部５７を介して、第２尾骨５５１、５５２が接続される。
また第２尾骨５５１、５５２は同一長さである。
【００３８】
一枚式傘面５１を開いた時に傘型を保持し、かつ第１親骨５２、第２親骨５５及び第１尾骨５２１、５２２、第２尾骨５５１、５５２が変形しないことを保証するため、第１尾骨５２１、５２２の長さは第２尾骨５５１、５５２より長く、親骨と尾骨が均衡した支持作用を有する。
【００３９】
また、第１尾骨５２１、５２２、第２尾骨５５１、５５２の外端はいずれも露先５４中に挿入され、露先５４は一枚式傘面５１の辺縁に固定される。
【００４０】
このような親骨と尾骨の配置は、一枚式傘面の緯線ａ、経線ｂ、対角線ｃ及びその他の角度において力を受ける時の変形が不一致となることに対する改善を行う。
この親骨であると一枚式傘面の変形が大きい時も、十分な伸縮空間を有し、一枚式傘面を開く或いは閉じる時に変形しない。
親骨が糸の変形量が小さい一枚式傘面配置である時、傘を開く時親骨は一枚式傘面を支持し一枚式傘面の親骨に対する反作用力が親骨に変形を発生させる。
各親骨の間の受け力が不均衡であることから、支持力も不均衡となり有効な傘型を形成しにくく、また、傘を閉じた後親骨の変形が一定でないためいくつかの親骨が突出し、親骨と一枚式傘面を収容しにくい。
【００４１】
これにより、同一長さの一枚式傘面にこのような親骨を使用するときの理想的な実施方式は以下のとおりである。
対角線ｃに近接する親骨は、この親骨のある位置の一枚式傘面の長さより長くする必要があり、そうすることにより傘型を有する。
さらに、対角線ｃに近接する親骨は緯線ａ、経線ｂ近くにある親骨よりも長い必要がある。
対角線より緯線ａ、経線ｂの方向に設置された親骨は、緯線ａ、経線ｂに接近するほど、親骨の長さが短くかつ親骨の長さは親骨のある位置の一枚式傘面の長さに等しいかそれより大きくなる。
緯線ａ、経線ｂ上の親骨の長さも、緯線ａ、経線ｂの一枚式傘面の長さより短くなく、ただし、対角線ｃに接近する親骨より短い。
【００４２】
同一の形状長の親骨に対しては、対角線に近接する一枚式傘面は、経線、緯線に近接する一枚式傘面に較べて短くなければならず、さらに対角線に近接する親骨よりも短くなければならない。
これにより傘型を保持することになる。経線、緯線に近接する一枚式傘面は親骨の長さに等しいかそれより短くなければならないが、対角線に近接する一枚式傘面より長い。
【００４３】
これと同様の理由で、図１０に示す第７実施方式中、親骨の配置に対してはそのまま長さ分布の方式が採用される。
一枚式傘面６１、親骨６２、中棒６３、露先６４、尾骨６２１、６２２及びヒンジ部６５の構造は、図５の方式と一致し、尾骨６２１、６２２の間の角度は、図５に示される構造方式より小さくなる。
これにより確保した空間に補助傘骨６６を配置する。
【００４４】
補助傘骨６６は上ろくろを介して中棒６３に接合され、補助傘骨６６の外端は露先６４中に挿入される。
対角線ｃを基準線として配置される親骨６２の間にあって、補助傘骨６６は二つ設けられる。
対向する円弧形状を形成して延長されて露先６４に挿入される。  
また親骨６２の間の間隙を補填し、一枚式傘面６１が開くのを補助する。
【００４５】
尾骨６２１、６２２は同一長さに配置されるが、補助傘骨６６の長さは尾骨と親骨の総長より短くする。これにより均一な支持力を作り出し親骨の変形を防止する。
【００４６】
図１１に示すのは、本発明の第８実施方式である。
中棒を中心とする対角線ｃと緯線ａ、経線ｂを基準線とし、親骨が配置される。
次に、親骨の外端に尾骨が配置され、親骨と尾骨の長さはその配置位置により長さが不統一となる。
【００４７】
対角線ｃを基準線として第１親骨７２が配置され、第１親骨７２の端に、第１ヒンジ部７５が配置される。この第１ヒンジ部７５を介して、三つ又に分岐する第１尾骨７２１、７２２、７２３が配置される。
緯線ａ、経線ｂを基準線として第２親骨７６が配置され、第２親骨７６の端に、第２ヒンジ部７７がある。この第２ヒンジ部７７を介して、三つ叉に分岐する第２尾骨７６１、７６２、７６３が配置される。
第１尾骨７２１、７２３は同一長であり、第２尾骨７６１、７６３も互いに同一長である。しかし、第１尾骨７２１、７２３は第２尾骨７６１、７６３より長くなければならず、第１尾骨７２２はちょうど対角線上に位置する。
ゆえに、第１尾骨７２２の長さは第１尾骨７２１、７２３及び第２尾骨７６１、７６３より長い。
【００４８】
第２尾骨７６２はちょうど緯線ａ、経線ｂ上に位置することから、第２尾骨７６２の長さは第１尾骨７２１、７２３及び第２尾骨７６１、７６３より短い。
このような方式で一枚式傘面７１に対して均一した支持を形成し、一枚式傘面７１を開いた時の傘型を形成し、傘を閉じる時、親骨と尾骨（第１親骨、第２親骨、第１尾骨、第２尾骨を包含する）はいずれも変形しない。
【００４９】
第１尾骨７２１、７２２、７２３と第２尾骨７６１、７６２、７６３の端は一枚式傘面７１に固定された露先７４に挿入され、安定した接合構造が形成される。
【００５０】
第６から第８実施方式の親骨配置からわかるように、親骨は実際の状況に基づいて長さ調整可能で、同様に一枚式傘面も実際の状況に基づいて長さ調整が可能である。
たとえば、ある特殊形状の一枚式傘面を加工するために、一枚式傘面及び親骨の長さが調整される。
【００５１】
対角線ｃを基準線とし、親骨はこの基準線の両側に対称に配置でき、同様に、経線或いは緯線を基準線とし、親骨は経線或いは緯線の両側に対称に配置できる。
図１２に本発明の第９実施方式を示す。すなわち、緯線ａ、経線ｂを基準線とし、両側に親骨を対称に配置した実施方式である。
【００５２】
図１２中、緯線はａ、経線はｂとし、上ろくろを介して中棒８３に親骨８２が接合されている。
４本の親骨は内に湾曲する円弧形状を形成して緯線ａの両側に分布し、４本の親骨８２は内向きに湾曲して円弧形状を形成して経線ｂの両側に分布する。
また、親骨８２の端は露先８４に挿入され、露先８４は一枚式傘面８１の辺縁に均一に配置され、安定した接合構造を形成する。
これにより、一枚式傘面８１に対する安定してしっかりした支持を形成できる。
【００５３】
図１３を参照されたい。これは本発明の第１０実施方式の親骨と一枚式傘面の表示図である。
親骨９２は中棒９３を囲むように均等に分布し、親骨９２はまたヒンジ部９４を介して外向きに伸ばした尾骨９５、９６に接続される。
尾骨９５、９６は円弧形状を形成しかつ外向きに伸び、尾骨９５、９６の最外端は一枚式傘面９１の辺縁に固定される。こうして一枚式傘面９１が支持される。
【００５４】
親骨９２は８本設けられ、いずれも中棒９３の周囲に均等に配置される。また、これらの親骨９２はａ、ｂ或いはｃの軸線上に設置されず、これらの軸線は軸対称に配置される。
【００５５】
総合すると、中棒を中心として一枚式傘面の対角線、或いはその経線、緯線を基準線として、各親骨が基準線に配置される。もしくは対称に分布して、親骨、一枚式傘面が平衡した作用力と支持力を受け、傘の開閉いずれもスムーズに行える。
【００５６】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００５７】
ａ  緯線経線
ｂ  経線緯線
ｃ  対角線
１、１１、２１、３１、４１、５１、６１、７１、８１、９１  一枚式傘面
２、１２、２２、３２、４２、６２、８２、９２  親骨
５２、７２  第１親骨
５５、７６  第２親骨
２７、６６  補助傘骨
１５、１６、２５、２６、３５、３６、３７、４５、４６、６２１、６２２、９５、９６  尾骨
５２１、５２２、７２１、７２２、７２３  第１尾骨
５５１、５５２、７６１、７６２、７６３  第２尾骨
１７、２８、３８、４７、６５、９４  ヒンジ部
５６、７５  第１ヒンジ部
５７、７７  第２ヒンジ部
３、１３、２３、３３、４３、５３、６３、８３、９３  中棒
４、１４、２４、３４、４４、５４、６４、７４、８４  露先
５  上ろくろ
６  下ろくろ
７  受け骨
８  ハンドル
Ａ  三角形生地
Ｂ  辺
【図１】
0005761688.tif 000002
【図２】
0005761688.tif 000003
【図３】
0005761688.tif 000004
【図４】
0005761688.tif 000005
【図５】
0005761688.tif 000006
【図６】
0005761688.tif 000007
【図７】
0005761688.tif 000008
【図８】
0005761688.tif 000009
【図９】
0005761688.tif 000010
【図１０】
0005761688.tif 000011
【図１１】
0005761688.tif 000012
【図１２】
0005761688.tif 000013
【図１３】
0005761688.tif 000014